(57)【要約】【課題】足場支持具を建物の壁に取り付けたときに該壁を損傷させることを防ぐ。【解決手段】足場部材把持手段を後端に備えた支持杆と壁３１に穿設された挿入孔３９内に進退自在かつ回転不能に挿入される固定具８１とよりなり、該支持杆の前端にボルト５３を突設し、該ボルトにナット６１を螺合させ、該固定具の後端に雌ねじ８３を形成し、該固定具の前端に該固定具の長さ方向と直角方向の支軸８５を備えさせ、該支軸に回動アーム８７を開閉自在に支持させ、該固定具に該回動アームの回動を許す開口部８９を備えさせ、該固定具と回動アームとの間には該回動アームを閉じる方向に付勢するばね９０を取り付け、該支軸は該固定具の前端に略三角形状に３本配設し、各支軸に該回動アームの基端を支持させることにより当該３本の回動アームが略放射状に開くようにし、各回動アームは平面状部が壁の垂直面に圧接する。【選択図】図２
2013249717.tif 000002
【特許請求の範囲】
【請求項１】
足場部材を把持する足場部材把持手段を後端に備えた支持杆と、壁に穿設された挿入孔内に進退自在かつ回転不能に挿入される固定具とよりなり、該支持杆の前端にはボルトを突設し、該ボルトには座金を介してナットを螺合させ、該固定具の後端には該ボルトに対応する雌ねじを形成し、該固定具の前端には該固定具の長さ方向と直角方向の支軸を備えさせ、該支軸には回動アームを開閉自在になるように回動自在に支持させ、該固定具には該回動アームの回動を許すように開口部を備えさせ、該固定具と回動アームとの間には該回動アームを閉じる方向に付勢するばねを取り付け、
該固定具の雌ねじに支持杆前端のボルトを螺合させ、該ボルトの前端をばねの力により閉じた状態に保持されている回動アームの先端間に位置させ、
該固定具を前記挿入孔内に挿通させ、該固定具の前部を挿入孔より壁の外方に突出させた状態で支持杆を回転させることによりボルトを回転させて前進させ、以て回動アームをばねの力に抗して押し広げて開き、更に該支持杆を後退させて回動アームを壁の垂直面に圧接させるようした足場支持具において、
前記支軸は前記固定具の前端に略三角形状に３本配設し、各支軸に前記回動アームの基端を支持させることにより、当該３本の回動アームが略放射状に開くようになし、
更に、前記各回動アームは平面状部が前記壁の垂直面に圧接するようにしたことを特徴とする足場支持具。
【請求項２】
前記挿入孔は、前記壁を貫通することなく、該壁の外側より該壁の内部に至るまで形成し、該挿入孔における壁内の端部は前記回動アームの回動を許す大径部となし、各回動アームは壁内の該大径部内における垂直面に圧接するようにしたことを特徴とする請求項１に記載の足場支持具。
【発明の詳細な説明】
【技術分野】
【０００１】
本発明は、足場支持具に関するものであり、例えば建物における壁の塗装、補修等の工事を行う際に該壁に近接させた状態で配設される足場を支持するための足場支持具に係るものである。
【背景技術】
【０００２】
図１２〜図１５に示すように、本出願人は、特許第４８５１１６５号公報において、
足場部材３３を把持する足場部材把持手段３５を後端に備えた支持杆３７と、壁３１に穿設された挿入孔３９内に挿入される固定具４１とよりなり、該支持杆３７の前端にはボルト５３を突設し、該ボルト５３には座金５９を介してナット６１を螺合させ、該固定具４１の後端には該ボルト５３に対応する雌ねじ６３を形成し、
前記挿入孔３９は壁３１を貫通させ、
前記固定具４１の前端には該固定具４１の長さ方向と直角方向の支軸６５を備えさせ、該支軸６５には一対の回動アーム７３ａ、７３ｂを開閉自在になるように回動自在に支持させ、該固定具４１には該回動アーム７３ａ、７３ｂの回動を許すように開口部６９を備えさせ、
該固定具４１と回動アーム７３ａ、７３ｂとの間には該回動アーム７３ａ、７３ｂを閉じる方向に付勢するばね７５を取り付け、
該固定具４１の雌ねじ６３に支持杆３７前端のボルト５３を螺合させ、該ボルト５３の前端をばね７５の力により閉じた状態に保持されている回動アーム７３ａ、７３ｂの先端間に位置させ、
該固定具４１を前記挿入孔３９内に挿通させ、該固定具４１の前部を挿入孔３９より壁３１の外方に突出させた状態で支持杆３７を回転させることによりボルト５３を回転させて前進させ、以て回動アーム７３ａ、７３ｂをばね７５の力に抗して押し広げて開き、更に該支持杆３７を後退させて回動アーム７３ａ、７３ｂを壁の垂直面に圧接させるようした足場支持具（以下「従来の足場支持具（Ａ）」という。）を提供している。
【０００３】
更に、図１６〜図１８に示すように、上記特許第４８５１１６５号公報は、
足場部材を把持する足場部材把持手段を後端に備えた支持杆１と、壁３に穿設された挿入孔５内に挿入される略円筒状の固定具７とよりなり、
前記支持杆１の前端にはボルト９を突設し、該ボルト９には座金１１を介してナット１３を螺合させ、
前記固定具７には外周に回り止め１４を備えさせると共に該固定具７を貫通する中央孔１５を設け、該中央孔１５の後端にはボルト９に対応する雌ねじ１７を形成し、該中央孔１５の前部をテーパ状に形成してテーパ部１９となし、該中央孔１５内には前端２１ａをテーパ状に形成した押圧棒２１を嵌着し、前記固定具７の前部を長さ方向に四分割することにより該前部を拡張部２３としてなる足場支持具（以下「従来の足場支持具（Ｂ）」という。）をも開示している。
【先行技術文献】
【特許文献】
【０００４】
【特許文献１】特許第４８５１１６５号公報
【発明の概要】
【発明が解決しようとする課題】
【０００５】
上記従来の足場支持具（Ａ）は、優れたものではあるが、なお、次のような問題があることが判明した。
【０００６】
（イ）従来の足場支持具（Ａ）における回動アーム７３ａ、７３ｂは、図１１に示すように、略長方形状の板状体７６の両側部７６ａ、７６ａを略直角に立ち上げてなる断面略コ字状体をなし、該両側部７６ａ、７６ａの縁部７６ｂ、７６ｂが壁３１面に臨むようにしているため、足場支持具を建物の壁３１に取り付けたときに、該両側部７６ａ、７６ａの縁部７６ｂ、７６ｂが壁３１に食い込み、該壁３１を損傷するおそれがある。
【０００７】
（ロ）従来の足場支持具（Ａ）における回動アーム７３ａ、７３ｂは、一対（２本）のみが使用されているため、各回動アーム７３ａ、７３ｂに大きな力が加わり、該壁３１を損傷するおそれが一層大きくなる。
【０００８】
一方、従来の足場支持具（Ｂ）は、固定具の拡張部を壁に穿設された挿入孔の内面に圧接させることにより該固定具を挿入孔内に固定するようにしているため、該挿入孔は壁を貫通させる必要がないものの、従来の足場支持具（Ｂ）には下記の如き問題がある。
【０００９】
（ハ）固定具の拡張部を壁に穿設された挿入孔の内面に圧接させることにより固定具を挿入孔内に固定するようにしているため、挿入孔内で固定具が足場方向に後退するおそれがある。即ち、足場が前後に揺れるおそれがある。
【００１０】
（ニ）足場が前後に揺れる度に軟弱な壁材の挿入孔が拡大し、該固定具が該挿入孔から抜け出すおそれがある。
【００１１】
（ホ）固定具の拡張部を広げすぎると、壁材が爆裂し、挿入孔の固定力が失われる。
【００１２】
（ヘ）固定具が壁の挿入孔から抜け出し、或いは壁材が爆裂し、挿入孔の固定力が失われたときには、支持杆が落下し、足場が崩れるという危険が生ずるおそれもある。
【００１３】
本発明は、従来の足場支持具（Ａ）（Ｂ）における上述の如き問題を解決し、足場支持具を建物の壁に取り付けたときに、該壁を損傷させるおそれのない足場支持具を提供しようとしてなされたものである。
【課題を解決するための手段】
【００１４】
上記課題を解決するために、本発明は、下記の足場支持具を提供するものである。
【００１５】
（１）足場部材を把持する足場部材把持手段を後端に備えた支持杆と、壁に穿設された挿入孔内に進退自在かつ回転不能に挿入される固定具とよりなり、該支持杆の前端にはボルトを突設し、該ボルトには座金を介してナットを螺合させ、該固定具の後端には該ボルトに対応する雌ねじを形成し、該固定具の前端には該固定具の長さ方向と直角方向の支軸を備えさせ、該支軸には回動アームを開閉自在になるように回動自在に支持させ、該固定具には該回動アームの回動を許すように開口部を備えさせ、該固定具と回動アームとの間には該回動アームを閉じる方向に付勢するばねを取り付け、
該固定具の雌ねじに支持杆前端のボルトを螺合させ、該ボルトの前端をばねの力により閉じた状態に保持されている回動アームの先端間に位置させ、
該固定具を前記挿入孔内に挿通させ、該固定具の前部を挿入孔より壁の外方に突出させた状態で支持杆を回転させることによりボルトを回転させて前進させ、以て回動アームをばねの力に抗して押し広げて開き、更に該支持杆を後退させて回動アームを壁の垂直面に圧接させるようした足場支持具において、
前記支軸は前記固定具の前端に略三角形状に３本配設し、各支軸に前記回動アームの基端を支持させることにより、当該３本の回動アームが略放射状に開くようになし、
更に、前記各回動アームは平面状部が前記壁の垂直面に圧接するようにしたことを特徴とする足場支持具（請求項１）。
【００１６】
（２）前記挿入孔は、前記壁を貫通することなく、該壁の外側より該壁の内部に至るまで形成し、該挿入孔における壁内の端部は前記回動アームの回動を許す大径部となし、各回動アームは壁内の該大径部内における垂直面に圧接するようになす（請求項２）。
【発明の効果】
【００１７】
［請求項１の発明］
請求項１の発明によれば、回動アームの支軸は前記固定具の前端に略三角形状に３本配設し、各支軸に回動アームの基端を支持させることにより、当該３本の回動アームが略放射状に開くようにしているため、３本の回動アームが壁の垂直面に圧接する。したがって、各回動アームに加えられる力は小さくなり、回動アームが壁に食い込むおそれは小さい。
【００１８】
各回動アームは平面状部が壁の垂直面に圧接するため、各回動アームが壁に食い込むおそれは一層小さくなる。したがって、回動アームにより壁が損傷を受けるおそれはない。
【００１９】
更に、３本の回動アームが略等角度間隔を置いて壁の垂直面に圧接するため、足場支持具はより安定した状態で壁に固定される。
【００２０】
[請求項２の発明]
挿入孔は、壁を貫通することなく、該壁の外側より該壁の内部に至るまで形成し、該挿入孔における壁内の端部は回動アームの回動を許す大径部としている。したがって、回動アームは該大径部内における壁の内側面（建物の内部に臨む側面）には突出せず、壁の内側面は全く無傷であるにもかかわらず、各回動アームは壁内の該大径部内における垂直面に圧接する結果、従来の足場支持具（Ｂ）における上記（ハ）（ニ）（ホ）（ヘ）等の問題はすべて解消する。
【図面の簡単な説明】
【００２１】
【図１】図１は、本発明による足場支持具の一例を示す側面図である。
【図２】図２は、同上足場支持具のボルト、固定具、壁等を示す側面図である。
【図３】図３は、同上足場支持具において、固定具の前部を挿入孔より壁における建物の内部側に突出させた状態を示す断面図である。
【図４】図４は、同上足場支持具を壁に固定した状態を示す断面図である。
【図５】図５は、本発明による足場支持具の別の一例を示す断面図である。
【図６】図６は、本発明による足場支持具の別の一例を壁に固定した状態を示す断面図である。
【図７】図７は、本発明による足場支持具の正面図である。
【図８】図８は、固定具の補強カバーを示す正面図である。
【図９】図９は、図４、図６のＸＩ−ＸＩ線における断面図である。
【図１０】図１０は、図４、図６のＸ−Ｘ線における別の断面図である。
【図１１】図１１は、従来の足場支持具（Ａ）における図９、図１０に対応する断面図である。
【図１２】図１２は、従来の足場支持具（Ａ）を示す側面図である。
【図１３】図１３は、従来の足場支持具（Ａ）を示す別の側面図である。
【図１４】図１４は、従来の足場支持具（Ａ）において、固定具の前部を挿入孔より突出させた状態を示す断面図である。
【図１５】図１５は、従来の足場支持具（Ａ）において、ナットを締めつけている状態を示す断面図である。
【図１６】図１６は、従来の足場支持具（Ｂ）におけるボルトと固定具とを示す断面図である。
【図１７】図１７は、従来の足場支持具（Ｂ）を壁に固定した状態を示す断面図である。
【図１８】図１８は、従来の足場支持具（Ｂ）における固定具の正面図である。
【発明を実施するための形態】
【００２２】
以下、本発明について、図１〜図１０を参照して説明するが、上記従来の足場支持具（Ａ）と共通する部材、部品、部分等については、従来の足場支持具（Ａ）における符号と同一の符号を用いる。なお、図１〜図６における固定具の回動アーム等は、見やすくするために、角度をずらして表されている。
【００２３】
本出願において「前」とは足場から壁に向かう方向（図中の左方向）をいい、「後」とは「前」と反対の方向（図中の右方向）をいうものとする。また、「壁の外側」とは、壁における足場部材に臨む側をいうものとする。
【００２４】
図１〜図４、図７〜図１０に示す事例について説明する。
【００２５】
まず、本発明が上記従来の足場支持具（Ａ）と共通する点について説明する。
【００２６】
符号３１に示すものは建物の壁であり、符号３３に示すものは壁３１に近接させた状態で配設される足場を構成する足場部材である。
【００２７】
本発明による足場支持具は、足場部材３３を把持する足場部材把持手段３５を後端に備えた支持杆３７と、壁３１に穿設された挿入孔３９内に進退自在かつ回転不能に挿入される固定具８１とよりなる。
【００２８】
壁３１は、例えば、ＡＬＣ、サイディング、モルタル等により形成される。
【００２９】
足場部材把持手段３５は、一例として、図１に示すように、一対の挟持片４３ａ、４３ｂを軸４５に開閉自在に取り付け、一方の挟持片４３ａにはボルト４７の一端を回動自在に軸着し、該ボルト４７にナット４９を螺合させ、該ボルト４７を他方の挟持片４３ｂの先端に形成した凹状係止部５１に係脱自在に係止し、ナット４９を締め付けることにより一対の挟持片４３ａ、４３ｂを足場部材３３に圧接させるようにしてなるものである。
【００３０】
前記支持杆３７の前端にはボルト５３を突設する。
【００３１】
図１に示す事例においては、筒状の支持杆３７内に内杆５５を摺嵌し、支持杆３７を内外に貫通するねじ５７により該内杆５５を支持杆３７に対する所定の位置に固定するようにしている。
【００３２】
ボルト５３には座金５９を介してナット６１を螺合させる。
【００３３】
前記固定具８１の後端には該ボルト５３に対応する雌ねじ８３を形成する。
【００３４】
固定具８１は、壁３１に穿設される挿入孔３９との関係において、該挿入孔３９内で進退自在であるが回転することのない形状を備えたものとする。
【００３５】
図１〜図４に示す事例においては、挿入孔３９は壁３１を前後方向に貫通させている。
【００３６】
該固定具８１の前端には該固定具８１の長さ方向と直角方向の支軸８５を備えさせる。該支軸８５には回動アーム８７を開閉自在になるように回動自在に支持させる。該固定具８１には該回動アーム８７の回動を許すように開口部８９を備えさせる。該固定具８１と回動アーム８７との間には該回動アーム８７を閉じる方向に付勢するばね９０を取り付ける。
【００３７】
次に、本発明が上記従来の足場支持具（Ａ）と相違する点について説明する。
【００３８】
本発明においては、図７に示すように、前記支軸８５は前記固定具８１の前端に略三角形状に３本配設する。各支軸８５，８５、８５に前記回動アーム８７、８７、８７の基端８７ａ、８７ａ、８７ａを支持させることにより、当該３本の回動アーム８７、８７、８７が略放射状に開くようになす。このように、略放射状に開いた各回動アーム８７、８７、８７間の角度は約１２０度である。因みに、固定具８１には、各回動アーム８７、８７、８７の回動を許すために三つの開口部８９、８９、８９が設けられている。
【００３９】
符号９２に示すものは、固定具８１を補強するために固定具の前端に固着された補強部材である。固定具８１の前端には、補強カバー９１を固着することが望ましい。該補強カバー９１は、一例として、ボルト等の固着手段により補強部材９２に固着される。
【００４０】
更に、前記各回動アーム８７、８７、８７は、平面状部８７ｂ、８７ｂ、８７ｂが前記壁３１の垂直面３１ａに圧接するようになす。
【００４１】
すなわち、図９に示す事例においては、回動アーム８７は、略長方形状の板状体８８の両側部８８ａ、８８ａを略直角に立ち上げてなる断面略コ字状体をなすものであり、該板状体８８の背面部を該平面状部８７ｂとしている。
【００４２】
また、図１０に示す事例においては、回動アーム８７は、平らな厚板であり、その片面を該平面状部８７ｂとしている。
【００４３】
上記事例における足場支持具を使用する際には、固定具８１の雌ねじ８３に支持杆３７前端のボルト５３を螺合させ、該ボルト５３の前端をばね９０の力により閉じた状態に保持されている３本の回動アーム８７、８７、８７の先端間に位置させる。図２参照。
【００４４】
続いて、固定具８１を壁３１に穿設された挿入孔３９内に挿通させ、該固定具８１の前部を挿入孔３９より壁３１の外方に突出させる。この状態で支持杆３７を回転させることによりボルト５３を回転させて前進させる。しかるときは、ボルト５３の前端は各回動アーム８７をばね９０の力に抗して押し広げて開く。図３参照。この状態で、支持杆３７を後退させて回動アーム８７、８７、８７を壁３１の垂直面３１ａに当接させる。
【００４５】
更に、ボルト５３に螺合させたナット６１を締め付け、座金５９を壁３１の後面に圧接させる。図４参照。
【００４６】
以上により、固定具８１は壁３１に固定される。即ち、支持杆３７は壁３１に固定される。そこで、支持杆３７後端の足場把持手段３５に足場部材３３を把持させる。
【００４７】
固定具８１の前部を挿入孔３９より壁３１の外方に突出させた状態でボルト５３を回転させることにより該ボルト５３を後退させたときには、固定具８１の各回動アーム８７はばね９０の力により閉じて固定具８１内における元の位置に復帰する。したがって、支持杆３７を足場方向に後退させることにより、ボルト５３の前端に螺合している固定具８１を回収し、再使用することもできる。
【００４８】
なお、壁に穿設された挿入孔は、工事後、適宜補修する。
【００４９】
続いて、図５〜図１０に示す事例について説明する。
【００５０】
前記挿入孔３９は、前記壁３１を貫通することなく、該壁３１の外側より該壁３１の内部に至るまで形成し、該挿入孔３９における壁３１内の端部は前記回動アームの回動を許す大径部３９ａとなす。該大径部３９ａを備えた挿入孔３９は、適宜のドリルにより、該大径部３９ａが略円筒状になるように形成する。
【００５１】
更に、各回動アーム８７、８７、８７は壁３１内の該大径部３９ａ内における垂直面３１ｂに圧接するようになす。
【００５２】
この事例においても、上記事例と同様にして、ボルト５３の前端に螺合している固定具８１を回収し、再使用することもできる。
【符号の説明】
【００５３】
３１  壁
３１ａ  垂直面
３１ｂ  垂直面
３３  足場部材
３５  足場部材把持手段
３７  支持杆
３９  挿入孔
３９ａ  大径部
４３ａ  挟持片
４３ｂ  挟持片
４５  軸
４７  ボルト
４９  ナット
５１  凹状係止部
５３  ボルト
５５  内杆
５７  ねじ
５９  座金
６１  ナット
７３ａ  回動アーム
７３ｂ  回動アーム
７６  板状体
７６ａ  側部
７６ｂ  縁部
８１  固定具
８３  雌ねじ
８５  支軸
８７  回動アーム
８７ａ  基端
８７ｂ  平面状部
８８  板状体
８８ａ  側部
８９  開口部
９０  ばね
９１  補強カバー
９２  補強部材
【図１】
2013249717.tif 000003
【図２】
2013249717.tif 000004
【図３】
2013249717.tif 000005
【図４】
2013249717.tif 000006
【図５】
2013249717.tif 000007
【図６】
2013249717.tif 000008
【図７】
2013249717.tif 000009
【図８】
2013249717.tif 000010
【図９】
2013249717.tif 000011
【図１０】
2013249717.tif 000012
【図１１】
2013249717.tif 000013
【図１２】
2013249717.tif 000014
【図１３】
2013249717.tif 000015
【図１４】
2013249717.tif 000016
【図１５】
2013249717.tif 000017
【図１６】
2013249717.tif 000018
【図１７】
2013249717.tif 000019
【図１８】
2013249717.tif 000020